(57)【要約】【課題】  ２次電源オンでもジャストクロックモードによって冷却ファン及びドライブの電源をオフする情報記録再生装置及びその冷却制御方法を提供することにある。【解決手段】  情報を格納するバッファ９とこのバッファ９に格納された情報をデジタル変換するデジタル回路１１とを備えた第１の処理部２５と、情報を記録再生可能なドライブ１７、１９と熱を冷却する冷却ファン２１とを備えた第２の処理部２７と、第１の処理部２５又は第２の処理部２７に電源を供給する電源ユニット７と、ジャストクロックを行うタイマー回路３と、タイマー回路３によってジャストクロックモードであることを判定し、電源ユニット７に第１の処理部２５のみに電源を供給するフロントマイコン１とを具備することを特徴とする。【選択図】  図１
2005190544.tif 000002
【特許請求の範囲】
【請求項１】
情報を格納するバッファとこのバッファに格納された前記情報をデジタル変換するデジタル回路とを備えた第１の処理部と、
前記情報を記録再生可能なドライブとこのドライブの熱を冷却する冷却ファンとを備えた第２の処理部と、
前記第１の処理部又は前記第２の処理部に電源を供給する電源ユニットと、
特定の時間に時刻調整を行うタイマー回路と、
前記タイマー回路の時刻調整によってジャストクロックモードであることを判定し、前記電源ユニットに前記第１の処理部のみに前記電源を供給する制御信号を送信するフロントマイコンとを具備することを特徴とする情報記録再生装置。
【請求項２】
前記フロントマイコンは、ユーザからの装置本体の起動命令を受け取った場合、ノーマルモードと判定して前記第１の処理部および前記第２の処理部に前記電源を供給する制御信号を送信することを特徴とする請求項１記載の情報記録再生装置。
【請求項３】
前記ドライブは、光ビームによって前記情報を記録再生する光ディスクドライブと、磁気によって前記情報を記録再生するハードディスクドライブとを含むことを特徴とする請求項１記載の情報記録再生装置。
【請求項４】
前記電源ユニットは前記第１の処理部と前記第２の処理部と電源ラインで接続され、前記電源ユニットと前記第２の処理部の間にはスイッチが設けられていることを特徴とする請求項１記載の情報記録再生装置。
【請求項５】
前記電源ユニットは、前記フロントマイコンからの前記制御信号によって前記スイッチを開くよう制御することを特徴とする請求項４記載の情報記録再生装置。
【請求項６】
前記フロントマイコンは、前記ジャストクロックモードであることを判定すると、前記ジャストクロックモードであることを前記バッファに通知することを特徴とする請求項１記載の情報記録再生装置。
【請求項７】
前記バッファは前記第２の処理部とデータラインで接続され、前記フロントマイコンから前記ジャストクロックモードであることを通知されると、前記第２の処理部に対して前記情報の供給をストップすることを特徴とする請求項６記載の情報記録再生装置。
【請求項８】
情報を格納するバッファとこのバッファに格納された前記情報をデジタル変換するデジタル回路とを備えた第１の処理部と、前記情報を記録再生可能なドライブとこのドライブの熱を冷却する冷却ファンとを備えた第２の処理部と、前記第１の処理部又は前記第２の処理部に電源を供給する電源ユニットとを備えた情報記録再生装置の冷却制御方法において、
特定の時間に時刻調整を行うことによってジャストクロックモードであることを判定し、前記電源ユニットに前記第１の処理部のみに前記電源を供給する制御信号を送信することを特徴とする情報記録再生装置の冷却制御方法。
【発明の詳細な説明】
【技術分野】
【０００１】
この発明は、情報記録再生装置及びその冷却制御方法に関し、特に、装置内の温度上昇や騒音を抑制するための冷却ファンが設けられた情報記録再生装置及びその冷却制御方法に関する。
【背景技術】
【０００２】
近年、ＨＤＤ−ＤＶＤレコーダと呼ばれる情報記録再生装置が注目されている。この情報記録再生装置は、ＨＤＤ（ハードディスクドライブ）と記録型ＤＶＤドライブが搭載され、ＨＤ（ハードディスク）の記録再生、ＤＶＤの記録再生、さらにはＨＤからＤＶＤへの記録等、多彩な使い方があり多くのユーザに支持されている。
【０００３】
しかしながら、このような情報記録再生装置にはＨＤＤと記録型ＤＶＤドライブの両方が搭載されていることから、再生専用のＤＶＤプレーヤと比べ、発熱量が格段に多いことが問題となっている。そのため、装置本体の後部に取り付けた冷却ファンを搭載し、内部で発生した余熱をこの冷却ファンから放出させている。特願平８−２６５６８７号公報には、装置内の吸気口に冷却ファンが取り付けられ、装置内部の急激な局部温度上昇を防止することが記載されている。
【０００４】
上記情報記録再生装置には、通常使用状態（以下、ノーマルモードと称す）とジャストクロック動作状態（以下、ジャストクロックモードと称す）がある。従来の情報記録再生装置では、装置本体の動作状態に関わらず、２次電源がオンのとき冷却ファンが回転するようになっている。また、ジャストクロックモードでは必要としないＨＤＤと記録型ＤＶＤドライブにも電源が入力されるようになっている。
【特許文献１】特開平８−２６５６８７号公報
【発明の開示】
【発明が解決しようとする課題】
【０００５】
従来は、ジャストクロックモードは１日３回特定の時間に時刻調整を行う機能であるが、自動的に装置本体が起動するので、比較的静かな場所に設置して使用している場合には、冷却ファンの音が不快に感じることがあるという問題があった。
【０００６】
また、従来の情報記録再生装置は、ジャストクロックモードに必要としないＨＤＤと記録型ＤＶＤドライブにも電源が入力されるので、短時間ながらも余熱が内部にこもるとともに、機械的な音も完全には解消されないという問題があった。
【０００７】
そこで、本発明は上記の問題を解決するために成されたものであり、２次電源オンでもノーマルモード、ジャストクロックモードによって冷却ファン、ＨＤＤ並びに記録型ＤＶＤドライブのオン／オフを制御することを可能にした情報記録再生装置及びその冷却制御方法。
【課題を解決するための手段】
【０００８】
上記した課題を解決するために、この発明は、情報を格納するバッファとこのバッファに格納された前記情報をデジタル変換するデジタル回路とを備えた第１の処理部と、前記情報を記録再生可能なドライブとこのドライブの熱を冷却する冷却ファンとを備えた第２の処理部と、前記第１の処理部又は前記第２の処理部に電源を供給する電源ユニットと、特定の時間に時刻調整を行うタイマー回路と、前記タイマー回路の時刻調整によってジャ
ストクロックモードであることを判定し、前記電源ユニットに前記第１の処理部のみに前記電源を供給する制御信号を送信するフロントマイコンとを具備することを特徴とする。
【発明の効果】
【０００９】
この発明によれば、情報記録再生装置の冷却ファンは２次電源をオンするとジャストクロックモード時でも回転してしまうことから、ジャストクロックモード時ではフロントマイコンにより冷却ファンを回転させないように制御する。したがって、電源制御（２次電源のオン／オフ）に関わらず、冷却ファンを任意に制御でき、ジャストクロックモードでは冷却ファンを騒音低減のためオフにすることができる。
【発明を実施するための最良の形態】
【００１０】
以下、この発明の実施例について、図面を参照しながら詳細に説明する。
【００１１】
図１は、この発明の第１の実施形態に係る情報記録再生装置を説明するためのブロック図である。
【００１２】
図１に示すように、情報記録再生装置１００には、ユーザインターフェース部２３と、電源ユニット７と、第１の処理部２５と、第２の処理部２７とから構成される。ユーザインターフェース部２３には、リモートコントローラ１と、タイマー回路３と、フロントマイコン５とを含む。第１の処理部２５には、出力バッファ９と、デジタル回路１１と、チューナー１３と、ビデオ／オーディオアナログ回路１５とを含む。第２の処理部２７には、記録型ＤＶＤドライブ１７と、ＨＤＤ１９と、冷却ファン２１とを含む。
【００１３】
情報記録再生装置１００のリモートコントローラ１は、ユーザの操作によってＨＤやＤＶＤに記録された情報を再生させたり、ＨＤやＤＶＤに情報を記録させたりなどするものである。
【００１４】
タイマー回路３は、ジャストクロックであることを通知するものである。ジャストクロックとは、上述したように例えば１日３回特定の時間に時刻調整を行う機能で、タイマー回路３はその特定の時間になったことをフロントマイコン５に通知するものである。
【００１５】
フロントマイコン５は、リモートコントロール１やタイマー回路３から情報記録再生装置１００の起動命令を受け取り、電源ユニット７上の電源ラインを制御するものである。具体的には、フロントマイコン５は起動命令を受け取ると、電源ユニット７に電源を立ち上げるようパワーオン信号を供給するとともに、ジャストクロックモード時には記録型ＤＶＤドライブ１７やＨＤＤ１９や冷却ファン２１のようにあまり必要としない第２の処理部２７に電源を供給しないようファン制御信号を供給する。さらに、フロントマイコン５は出力バッファ９にノーマルモードかジャストクロックモードかのコマンドを送信する。
【００１６】
電源ユニット７は、フロントマイコン５からのパワーオン信号を受け取ると、第１の処理部２５内のデジタル回路１１、チューナー１３、ビデオ／オーディオアナログ回路１５と、第２の処理部２７内のＤＶＤドライブ１７、ＨＤＤ１９、冷却ファン２１に電源ラインを介して電源を供給する。また、ファン制御信号を受け取ると、スイッチ２４をオフにして第２の処理部２７に電源を供給しないようにする。なお、電源ユニット７と、第１の処理部２５のデジタル回路１１、チューナー１３、ビデオ／オーディオアナログ回路１５、並びに第２の処理部２７のＤＶＤドライブ１７、ＨＤＤ１９、冷却ファン２１とは電源ラインにて電気的に接続されている。
【００１７】
出力バッファ９は、フロントマイコン５と制御信号ラインで接続されており、フロントマイコン５から現在ノーマルモードか又はジャストクロックモードかのコマンドを受信す
る。また、第２の処理部２７のＤＶＤドライブ１７やＨＤＤ１９、またはデジタル回路１１とはデータライン（ＡＴＡＰＩ信号）で接続されている。出力バッファ９は受信したコマンドがノーマルモードであった場合、第２の処理部２７へバッファリングしたデータを送信し、ジャストクロックモードであった場合、第２の処理部２７へはバッファリングしたデータを送信しないようスイッチを切り換えるものである。
【００１８】
デジタル回路１１は、出力バッファ９にバッファリングされたデータをＡ／Ｄ変換したり、エンコードまたはデコード等を行うものである。チューナー１３は、地上波やＢＳ等の信号を受信するものである。ビデオ／オーディオアナログ回路１５は、映像データや音声データをアナログ変換するものである。なお、ジャストクロックモードにおいては、地上波の時報を基準として時刻調整を行う役割があるため、第１の処理部２５は常に必要となるブロックである。
【００１９】
第２の処理部２７のＤＶＤドライブ１７は、ＤＶＤ（Digital Versatile Disk）−Ｒ（Recordable）、ＤＶＤ−ＲＷ（ReWritable）、ＤＶＤ−ＲＡＭ（Random Access Memory）、ＤＶＤ−ＲＯＭ（Read Only Memory）等に情報を記録したり再生したりするものである。
【００２０】
ＨＤＤ１９は、ハードディスクに情報を記録したり再生したりするものである。冷却ファン２１は、ＤＶＤドライブ１７やＨＤＤ１９の内部で発生した余熱を放出するためのものである。なお、ジャストクロックモードにおいては、情報の記録または再生等を行わないため第２の処理部２７は必要としないブロックである。
【００２１】
図２は、情報記録再生装置の冷却制御方法の動作を示すフローチャートである。
【００２２】
ステップ１では、フロントマイコン５はユーザによってリモートコントロール１から情報記録再生装置１００の起動命令を受け取ったり、またはタイマー回路３からジャストクロックである旨のコマンドを受け取ると、電源ユニット７にパワーオン信号を供給して装置１００を起動させる。
【００２３】
ステップ３では、フロントマイコン５は現在の起動モードが何であるのかを判断する。判断基準として、タイマー回路３からジャストクロックである旨のコマンドを受け取ったか否かで判断する。フロントマイコン５はジャストクロックのコマンドを受信していない場合、ノーマルモードとして判断してファン制御信号、例えばフラグ「１」を立てて電源ユニット７に供給する。また、フロントマイコン５はジャストクロックのコマンドを受信した場合、ジャストクロックモードとして判断してファン制御信号、例えばフラグ「０」を立てて電源ユニット７に供給する。
【００２４】
ステップ５では、フロントマイコン５がノーマルモードと判断した場合のステップである。電源ユニット７はフロントマイコン５からファン制御信号「１」を受け取ると、第１の処理部２５並びにスイッチ２４を閉じて第２の処理部２７にも電源を供給する。電源が供給された各種回路は初期化を行う。
【００２５】
ステップ７及び９では、ステップ５における初期化が終了するとＯＳの起動を行う。その際、出力バッファ９はフロントマイコン５からのノーマルモードのコマンドを受信すると、ＡＴＡＰＩオンしてデータラインを介してＤＶＤドライブ１７やＨＤＤ１９にデータを送信してＤＶＤの再生、記録または編集等を行う。
【００２６】
ステップ１１では、ステップ３においてフロントマイコン５がジャストクロックモードと判断した場合のステップである。電源ユニット７はフロントマイコン５からファン制御
信号「０」を受け取ると、第１の処理部２５のみに電源を供給する。この場合、電源ユニット７はスイッチ２４を開かせて第２の処理部２７に電源を供給しないようにする。
【００２７】
ステップ１３では、ステップ１１における初期化が終了するとＯＳの起動を行う。その際、出力バッファ９はフロントマイコン５からのジャストクロックモードのコマンドを受信すると、ＡＴＡＰＩオフしてデータラインを介してＤＶＤドライブ１７やＨＤＤ１９にデータを送信しないようにする。
【００２８】
ステップ１５では、第２の処理部２７に電源及びデータが供給されない状態であることから、ジャストクロックを実行する。
【００２９】
図３は、従来と本発明におけるノーマルモードとジャストクロックの電源立ち上げの相違を示した図である。
【００３０】
斜線部分は電源オン、斜線無しは電源オフとなっている。図３に示すように、従来では冷却ファン２１は２次電源をオンすることで常時回転するため、ジャストクロックを行っている際でも通常使用時（ノーマルモード）と同様に回転し廃熱処理を行っている。本発明では、２次電源オンでもジャストクロックモードでは冷却ファン２１、ＨＤＤ１９、ＤＶＤドライブ１７の電源をオフしているのが分かる。
【００３１】
以上説明したように、ノーマルモードではＤＶＤレコーダーの記録・再生の機能をすべて使用するので、第１の処理部２５及び第２の処理部２７の電源をどちらともオンにする。一方、ジャストクロックモードではＤＶＤレコーダーでの記録・再生は行わないので、第１の処理部２５内にあるデジタル回路１１、チューナー１３、ビデオ／オーディオアナログ回路１５のジャストクロックに必要な回路のみ電源を立ち上げ、第２の処理部２７に示すＤＶＤドライブ１７、ＨＤＤ１９、冷却ファン２１のようにジャストクロックに必要としないブロックは電源をオフにする。このとき、ＤＶＤドライブ１７やＨＤＤ１９はジャストクロックモードでもデータライン（ＡＴＡＰＩ信号）と接続されているので、ラッチアップ等の不具合がないように、出力を制御できる出力バッファ９を用いてハイインピーダンスの処理を行う。
【００３２】
また、出力バッファ９内のスイッチでは、初期化の際、ＤＶＤドライブ１７、ＨＤＤ１９の認識は行わずＯＳが起動できるよう変更する。この結果として、ＤＶＤドライブ１７とＨＤＤ１９の振動音、冷却ファン２１の回転音を皆無にすることができる。
【００３３】
以上によって、ジャストクロックモードで問題となっていた、冷却ファンを始めとするユーザーにとって不快な音源は、従来の方法と比べ格段に解消できる。
【００３４】
なお、本発明は、上記実施形態に限定されるものではなく、実施段階では、その要旨を逸脱しない範囲で種々に変形することが可能である。
【図面の簡単な説明】
【００３５】
【図１】この発明の第１の実施形態に係る情報記録再生装置を説明するためのブロック図。
【図２】情報記録再生装置の冷却制御方法の動作を示すフローチャート。
【図３】従来と本発明におけるノーマルモードとジャストクロックの電源立ち上げの相違を示した図。
【符号の説明】
【００３６】
１  リモートコントローラ
３  タイマー回路
５  フロントマイコン
７  電源ユニット
９  出力バッファ
１１  デジタル回路
１３  チューナー
１５  ビデオ／オーディオアナログ回路
１７  ＤＶＤドライブ
１９  ＨＤＤ
２１  冷却ファン
２３  ユーザインターフェース部
２４  スイッチ
２５  第１の処理部
２７  第２の処理部
【図１】
2005190544.tif 000003
【図２】
2005190544.tif 000004
【図３】
2005190544.tif 000005